(57)【要約】      （修正有）【課題】量子エネルギーによる治療を容易に行える量子治療器を提供する。【解決手段】患者５に量子波５５を照射して治療を行うにあたって、量子波発生源１が患者５に直接に照射を行うのではなく、量子波放射体２が、治療対象となる患者５を特定することができる少なくとも姓名３１を記載したカルテ３に対して量子波２５を照射し、実際の患者５へは、量子テレポーテーション現象６を利用して量子波５５を照射する。また、量子波発生器１２からの量子波１５を、第１の放射体１１から前記量子波放射体２へ、量子テレポーテーション現象７によって伝搬する。したがって、患者５付近に大掛かりな治療器を設置する必要はなく、また患者５の通院の手間など患者５への負担を劇的に軽減することができる。【選択図】図１
0003202847.tif 000002
【実用新案登録請求の範囲】
【請求項１】
治療対象となる患者の少なくとも姓名を記載したカルテと、
量子波を発生する量子波発生源と、
前記量子波発生源で発生された量子波を前記カルテに照射する量子波放射体とを備え、
前記姓名から特定された患者に、前記カルテに照射された量子波が、瞬間移動する量子テレポーテーション現象によって、当該患者に前記量子波が作用することで、当該患者の治療を行うことを特徴とする量子治療器。
【請求項２】
前記量子波発生源および量子波放射体は、相互に等しい材料から成る金属導体を含み、前記量子波発生源は、前記量子波放射体に対して、初期に接触または近傍に配置されることで、互いに意識を共有する同化現象を生じさせた後、離間することで、量子テレポーテーション現象によって、該量子波放射体から量子波を発生させて、前記カルテへの量子波の照射を実現させることを特徴とする請求項１記載の量子治療器。
【請求項３】
前記量子波放射体は、金属導体から成り、前記量子波発生源は、前記量子波放射体に対して、５０〜６０Ｈｚ、３０００〜９０００Ｖの負の高電圧を与えることで、量子波を発生させることを特徴とする請求項１または２記載の量子治療器。
【請求項４】
前記量子波放射体は、金属導体から成り、前記量子波発生源は、前記量子波放射体に対して、２〜２０００Ｈｚ、２４〜４８Ｖの負の低周波電位振動を与えることで、量子波を発生させることを特徴とする請求項１または２記載の量子治療器。
【請求項５】
前記カルテには、前記患者の生年月日が記載されていることを特徴とする請求項１〜４の何れか１項に記載の量子治療器。
【請求項６】
前記患者の少なくとも姓名を記載したカルテの代わりとなるマイナンバーカード、住基カード、免許証、パスポート、または写真を用いることを特徴とする請求項１〜５の何れか１項に記載の量子治療器。
【請求項７】
前記量子波放射体に、低周波振動を与えることで、前記カルテの同化を促進する振動装置をさらに備えることを特徴とする請求項１〜６の何れか１項に記載の量子治療器。
【考案の詳細な説明】
【技術分野】
【０００１】
本考案は、量子波を用いて、被治療者の治療対象部位（患部）を治療する量子治療器に関する。
【背景技術】
【０００２】
従来から、人体にマイクロ波や電磁波などを照射して、血行の改善を図ったり、患部の治癒効果を高めたりする治療器が市販されている。しかしながら、たとえばマイクロ波の場合に、マグネトロンが必要になるなど、これらの治療器は大掛かりで、また人体の内部への効果が低い（浸透し難い）ので、本件考案者は、先に特許文献１を提案している。
【０００３】
特許文献１は、交流電源をバイアスに、所謂鉱石ラジオのようなメカニズムで外部から受信された電磁波を、ＬＣ並列共振回路で増幅して重畳し、負の成分のみを取出して電極などから患部へ印加することで、前記電極を構成する素材原子の外殻電子軌道に変動を生じさせ、それに伴う陽子の振動によって量子波を発生させ、患部に照射することで、前記患部の細胞を活性化している。量子としては、光子、電子、クウォーク、ニュートリノ等である。
【０００４】
特許文献２では、その量子波および遠赤外線を医療用シートに照射し、その医療用シートを人体に貼付けることで、同様の効果を得るようにしている。特許文献３では、量子波を食用油に照射することで、該食用油の酸化防止に用いている。
【先行技術文献】
【特許文献】
【０００５】
【特許文献１】特許第５６８４４３４号公報
【特許文献２】特許第５６５７８４１号公報
【特許文献３】特許第５７２７１０４号公報
【考案の概要】
【考案が解決しようとする課題】
【０００６】
上述の特許文献１，３は、マグネトロンなどに比べては、装置が小型で、取扱い易くなるが、それでも、直接に量子波を照射するので、装置に人体などを翳していなければならない。また、特許文献２は、人体に貼るだけで所期の効果が得られるが、入浴等で剥がすと、貼り替えなければならず、煩雑である。
【０００７】
本考案の目的は、量子波による治療を行うにあたって、容易に治療を行うことができる量子治療器を提供することである。
【課題を解決するための手段】
【０００８】
本考案の量子治療器は、治療対象となる患者の少なくとも姓名を記載したカルテ（診療録）と、  量子波を発生する量子波発生源と、前記量子波発生源で発生された量子波を前記カルテに照射する量子波放射体とを備え、前記姓名から特定された患者に、前記カルテに照射された量子波が、瞬間移動する量子テレポーテーション現象（共振現象）によって、当該患者に前記量子波が作用することで、当該患者の治療を行うことを特徴とする。
【０００９】
上記の構成によれば、患者に量子波を照射して治療を行うにあたって、量子波発生源が患者に直接に照射を行うのではなく、治療対象となる患者を特定することができる少なくとも姓名を記載したカルテに対して、量子波を照射する。これは、量子波は文字を認識しているように振る舞うと言う本件考案者の知見に基づき、さらに量子テレポーテーション現象を利用するものである。
【００１０】
具体的には、本件考案者の実験によれば、カルテに量子波を照射すると、量子波は、離間した、たとえば数百ｋｍの場所の患者を特定して、量子テレポーテーション現象によって、距離および時間に拘わりなく、瞬時に作用し、直接に照射した場合に近しい治療効果を発揮できるようになる。そのカルテへの量子波の照射のために、カルテを搭載する量子波放射体と、その量子波放射体に量子波を与える量子波発生源とを設ける。
【００１１】
したがって、患者付近に大掛かりな治療器を設置する必要はなく、また患者の通院の手間など患者への負担を劇的に軽減することができるとともに、患者から離間した場所に設けられた専用で大掛かりな量子波発生源（発振器）で発生されたエネルギーの大きな量子波をカルテに照射することで、患者の血行を促進したり、患部に大きな治療効果を得ることができる。
【００１２】
また、前記量子波発生源および量子波放射体は、相互に等しい材料から成る金属導体を含み、前記量子波発生源は、前記量子波放射体に対して、初期に接触または近傍に配置されることで、互いに意識を共有する同化現象を生じさせた後、離間することで、量子テレポーテーション現象（共振現象）によって、該量子波放射体から量子波を発生させて、前記カルテへの量子波の照射を実現させることを特徴とする。
【００１３】
上記の構成によれば、前述のように、カルテに量子波を照射することで、量子テレポーテーション現象（共振現象）によって、離れた場所の患者を治療することができるが、実際にカルテに量子波を照射する量子波放射体に量子波を与える量子波発生源が必要になるので、それらを相互に等しい材料、特に好ましくはアルミから成る金属導体で構成する。すると、本件考案者の実験によれば、量子波発生源と量子波放射体とを、一旦、接触または近傍に配置することで、互いに意識を共有する同化現象を生じ、その後に離間しても、量子テレポーテーション現象（共振現象）によって、量子波を供給できるようになる。これによって、量子波発生源から量子波放射体に供給された１次量子波に対して、患者には、２次量子波となって与えられる。
【００１４】
したがって、実際にカルテに量子波を照射する量子波放射体は、小さく、簡易な構成で実現しても、量子波発生源は、任意の大きさに構成可能であり、強い量子波を発生させることができ、また複数の量子波放射体に対して、単一の量子波発生源から量子波を供給することができ、効率的でもある。
【００１５】
さらにまた、本考案の量子治療器では、前記量子波放射体は、金属導体から成り、前記量子波発生源は、前記量子波放射体に対して、５０〜６０Ｈｚ、３０００〜９０００Ｖの負の高電圧を与えることで、量子波を発生させることを特徴とする。
【００１６】
上記の構成によれば、本件考案者の実験によれば、金属導体、たとえばＳＵＳ、鉄、亜鉛、錫、好ましくはアルミニウムに、上記の高電圧を発生する電源を導線（銅またはアルミ線）で接続し、該高電圧を与えることで、量子波を効率的に発生させることができる。
【００１７】
また、本考案の量子治療器では、前記量子波放射体は、金属導体から成り、前記量子波発生源は、前記量子波放射体に対して、２〜２０００Ｈｚ、２４〜４８Ｖの負の低周波電位振動を与えることで、量子波を発生させることを特徴とする。
【００１８】
上記の構成によれば、本件考案者の実験によれば、金属導体に、低周波を発生する電源を導線（銅またはアルミ線）で接続し、該低周波を与えることで、量子波を効率的に発生させることができる。その周波数を変化することで、患者において、治療効果の高くなる部位を選択することができる。
【００１９】
さらにまた、本考案の量子治療器では、前記カルテには、前記患者の生年月日が記載されていることを特徴とする。
【００２０】
上記の構成によれば、姓名および生年月日によって、患者の特定（判定）精度を上げることができる。
【００２１】
また、本考案の量子治療器では、前記患者の少なくとも姓名を記載したカルテの代わりとなるマイナンバーカード、住基カード、免許証、パスポート、または写真を用いることを特徴とする。
【００２２】
上記の構成によれば、病院などで作成されるカルテに代えて、広く普及していて、かつ各個々人を特定可能な身分証明書などを用いるので、容易に治療を始めることができる。
【００２３】
さらにまた、本考案の量子治療器では、前記量子波放射体に、低周波振動を与えることで、前記カルテの同化を促進する振動装置をさらに備えることを特徴とする。
【００２４】
上記の構成によれば、カルテの搭載された量子波放射体に、低周波、好ましくは、５〜６Ｈｚ程度の振動を与えることで、カルテは、量子エネルギーを蓄積している量子波放射体と同化する。
【００２５】
したがって、短時間で、より大きな量子波を、患者に届けることができる。
【考案の効果】
【００２６】
本考案の量子治療器は、以上のように、患者に量子波を照射して治療を行うにあたって、量子波発生源が患者に直接に照射を行うのではなく、量子波放射体が、治療対象となる患者を特定することができる少なくとも姓名を記載したカルテに対して量子波を照射し、実際の患者へは、量子テレポーテーション現象を利用して量子波を照射する。
【００２７】
それゆえ、患者付近に大掛かりな治療器を設置する必要はなく、また患者の通院の手間など患者への負担を劇的に軽減することができるとともに、患者から離間した場所に設けられた専用で大掛かりな量子波発生源（発振器）で発生されたエネルギーの大きな量子波をカルテに照射することで、患者の血行を促進したり、患部に大きな治療効果を得ることができる。
【図面の簡単な説明】
【００２８】
【図１】本考案の実施の一形態に係る量子治療器の使用方法を説明するための模式図である。
【図２】量子波発生器の電気回路図である。
【考案を実施するための形態】
【００２９】
図１は、本考案の実施の一形態に係る量子治療器の使用方法を説明するための模式図である。本実施形態の量子治療器は、量子波発生源１と、量子波放射体２とを備えて構成される。本考案の量子治療器は、患者５に量子波（５５）を照射して治療を行うにあたって、量子波発生源１が患者５に直接に照射を行うのではなく、治療対象となる患者５を特定することができる少なくとも姓名を記載したカルテ３に対して、量子波（２５）を照射することを特徴とする。これは、量子波（２５）は文字を認識しているように振る舞うと言う本件考案者の知見に基づくもので、さらに量子波（２５，５５）の伝搬には、量子テレポーテーション現象６，７を利用することを特徴としている。
【００３０】
詳しくは、量子波発生源１は、量子波を放射する第１の放射体１１と、後述するようにして前記第１の放射体１１に量子波を発生させる量子波発生器１２と、その量子波発生器１２で発生された電圧を第１の放射体１１に与えることで量子波（１５）を発生させる導線１３とを備えて構成される。第１の放射体１１は、金属導体、たとえばＳＵＳ、鉄、亜鉛、錫、好ましくはアルミニウムから成る、たとえば平板である。導線１３は、絶縁被覆された銅またはアルミ線から成る。
【００３１】
量子波発生器１２は、金属導体の第１の放射体１１に予め定める周期の負の電圧を印加し、負の電位や電場を印加することで、該第１の放射体１１から量子波（１５）を発生させるものである。量子波発生器１２は、たとえば図２（ａ）で示す印加回路１２１や、図２（ｂ）で示す印加回路１２２で構成される。金属導体から成る第１の放射体１１は、架空に配置されてもよいけれども、発生する量子波（１５）のエネルギーをコントロールするために、たとえばＭΩ以上の高抵抗を介して接地されていてもよい。
【００３２】
図２（ａ）で示す印加回路１２１は、交流電源１２１１の一方の端子に接続されるダイオード１２１２および抵抗１２１３の直列回路と、他方の端子に接続されるダイオード１２１４および抵抗１２１５の直列回路とを備えて構成される。ダイオード１２１２，１２１４のカソードが交流電源１２１１に接続され、アノードが抵抗１２１３，１２１５の一端に接続される。これによって、抵抗１２１３，１２１５の他端から取出された負で半波の電圧が、導線１３を介して、金属導体の第１の放射体１１に印加される。交流電源１２１１は、単相２線の場合、１線は柱上変圧器内などで接地されており、この印加回路１２１は、２線の何れがホット側か不明な場合に、確実に負の電圧を取出すことができるようになっている。
【００３３】
また、印加回路１２２は、ダイオード１２２２〜１２２５から成るダイオードブリッジで構成される。交流電源１２２１の一方の端子にはダイオード１２２２のカソードおよびダイオード１２２４のアノードが接続され、他方の端子にはダイオード１２２３のカソードおよびダイオード１２２５のアノードが接続され、ダイオード１２２４，１２２５のカソードが接地される。これによって、ダイオード１２２２，１２２３のアノードから取出された負で全波の電圧が、導線１３を介して、金属導体の第１の放射体１１に印加される。
【００３４】
ここで、印加回路１２１，１２２は、交流電源１２１１，１２２１および素子の耐圧などを選択することで、本件考案者の実験によれば、第１の放射体１１に、以下の何れかの条件の電圧を与えることで、量子波を発生させることができる。第１には、５０〜６０Ｈｚ、３０００〜９０００Ｖの負の高電圧である。第２には、印加回路１２１，１２２は、２〜２０００Ｈｚ、２４〜４８Ｖの負の低周波の電圧である。これによって、量子波を効率的に発生させることができる。なお、交流電源１２１１，１２２１が作成する電圧は、回路が簡単で済む正弦波に限らず、三角波、矩形波或いはパルス波などであってもよい。
【００３５】
このように金属導体の第１の放射体１１に周期的な負の電圧を印加することで、図１において参照符号１５で示すように、光子、電子、クウォーク、ニュートリノ等、１７種の量子の内の何れかが発生する（中でも、クウォークが発生し易く（多く発生し）、ニュートリノは発生の可能性が考えられる）。そして、その量子波（１５）は、量子テレポーテーション現象（共振現象）７によって、離間した場所に設置される量子波放射体２にも発生する（参照符号２５）。
【００３６】
第２の放射体である量子波放射体２も、前記第１の放射体１１と同様に、金属導体、たとえばＳＵＳ、鉄、亜鉛、錫、好ましくはアルミニウムから成る、たとえば平板である。そして、本件考案者の実験によれば、量子波放射体２が第１の放射体１１と同種の金属材料、特に好ましくはアルミから成り、初期に接触または近傍に配置された状態で、第１の放射体１１に量子波発生器１２からの前記高電圧または低周波によって量子波（１５）を発生させることで、量子波放射体２に、第１の放射体１１と互いに意識を共有する同化現象を生じさせることができる。これによって、後に離間しても、上述のように、量子テレポーテーション現象（共振現象）７によって、該量子波放射体２に、参照符号２５で示すように、量子を発生させることができる。
【００３７】
この量子２５が、量子波放射体２上に載置されたカルテ３に照射され、カルテ３が量子波放射体２に同化すると、本件考案者の実験結果によれば、量子２５は、あたかも文字を認識しているように振る舞い、氏名欄３１に記載された氏名の患者５を、距離および時間に拘わり無く、たとえば数百ｋｍ離れた場所に居ても特定して、量子テレポーテーション現象（共振現象）６によって、瞬時に作用し、直接に照射した場合に近しい治療効果を発揮できるようになる。
【００３８】
具体的に、図１の例では、カルテ３では、人体図３３において、患部３４として胃が示されており、患者５では、その胃５１に量子５５が作用していることを、概念的に示している。量子５５による治療のメカニズムとしては、量子波（５５）を生物（５）が浴びた時、組織（５１）を活性化し、具体的には原子の電子配列が影響を受け（素材原子の外殻電子軌道に変動を生じさせ、それによる陽子の振動によって量子波を発生させ）、たとえば血行を促進したり、患部（５１）の治癒効果を高めたりすることができる。しかも、前記予め定める周期に応じて、対象とする症状を、異ならせることができる。特に、前記低周波の場合、周波数を３〜１００Ｈｚとすると、人の血行改善効果を得ることができ、肩凝りやむくみが解消したり、傷口が早く治ったりするようになる。
【００３９】
このように構成することで、患者５に量子波（５５）を照射して治療を行うにあたって、量子波発生源１が患者５に直接に照射を行うのではなく、治療対象となる患者５を特定することができる少なくとも姓名を記載したカルテ３に対して、量子波（２５）を照射するので、患者５付近に大掛かりな治療器を設置する必要はなく、また患者５の通院の手間など、患者５への負担を劇的に軽減することができるとともに、患者５から離間した場所に設けられた専用で大掛かりな量子波発生源（発振器）１で発生されたエネルギーの大きな量子波（１５，２５）をカルテ３に照射することで、患者５の血行を促進したり、患部（５１）に大きな治療効果を得ることができる。
【００４０】
また、本実施形態では、前述のように、カルテ３に量子波（２５）を照射することで、量子テレポーテーション現象（共振現象）６によって、離れた場所の患者５を治療することができるが、実際にカルテ３に量子波（２５）を照射する量子波放射体２に量子波（２５）を与える量子波発生源として、離間した場所に設置される量子波発生源１を用い、量子テレポーテーション現象（共振現象）７によって１次量子波（２５）を供給し、患者５には、さらに量子テレポーテーション現象（共振現象）６によって得られた２次量子波（５５）を与える。このように構成することで、実際にカルテ３に量子波（２５）を照射する量子波放射体２は、小さく、簡易な構成で実現しても、量子波発生源１は、任意の大きさに構成可能であり、強い量子波（１５，７）を発生させることができ、また複数の量子波放射体２に対して、単一の量子波発生源１から量子波を供給することができ、効率的でもある。
【００４１】
好ましくは、前記カルテ３には、患者５の生年月日の記入欄３２が設けられている。これによって、姓名および生年月日によって、患者５の特定（判定）精度を上げることができる。また、患者５の特定には、カルテ３に限らず、広く普及していて、かつ各個々人を特定可能な身分証明書、たとえばマイナンバーカード、住基カード、免許証、パスポートを用いてもよい。或いは、患者５が映った写真を用いてもよい。そうすることで、容易に治療を始めることができる。
【００４２】
また、量子波放射体２に、低周波振動を与えることが好ましい。図１の例では、量子波放射体２の下部には起震装置４が設けられており、揺動アーム４１によって、量子波放射体２を矢符４２方向に、低周波、好ましくは、５〜６Ｈｚ程度で振動させる。これによって、カルテ３は、量子エネルギー（２５）を蓄積している量子波放射体２との同化が促進され、短時間で、より大きな量子波（６，５５）を、患者５に届けることができる。
【００４３】
ここで、上述の実施形態では、第１の放射体１１から量子波放射体２へ、量子テレポーテーション現象（共振現象）７によって量子１５が伝搬されるが、そのような伝搬に同種の金属板である第１の放射体１１および量子波放射体２を用いるのではなく、量子波放射体２は、カルテ３への量子波（２５）の照射専用として、量子１５の伝搬は、アンテナ１６，２６を用いるようにしてもよい。
【００４４】
詳しくは、量子波発生器１２を導線１７によってアンテナ１６に接続し、このアンテナ１６で発生した量子波（１５）を、量子テレポーテーション現象（共振現象）９によってアンテナ２６で受信し、得られた量子２５を導線２７を介して量子波放射体２に与えるというものである。アンテナ１６，２６は、同種の金属材料、好ましくはアルミで、六角筒の相似形に形成される（送信側のアンテナ１６が相対的に大きく、受診側のアンテナ２６が小さく形成されることが多いが、同じ大きさであってもよい）。このように量子テレポーテーション９にアンテナ１６，２６を用いることで、伝搬する量子エネルギー（１５）を大きくすることができ、好適である。
【符号の説明】
【００４５】
１    量子波発生源
１１    第１の放射体
１２    量子波発生器
１２１，１２２    印加回路
１３    導線
１５    量子
１６    アンテナ
１７    導線
２    量子波放射体
２５    量子
２６    アンテナ
２７    導線
３    カルテ
３１    氏名欄
３２    生年月日の記入欄
３３    人体図
４    起震装置
４１    揺動アーム
５    患者
５１    胃
５５    量子
６，７，９    量子テレポーテーション現象
【図１】
0003202847.tif 000003
【図２】
0003202847.tif 000004